【手続補正書】
【提出日】平成28年1月26日(2016.1.26)
【手続補正１】
【補正対象書類名】明細書
【補正対象項目名】００１２
【補正方法】変更
【補正の内容】
【００１２】
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数１７】
2015061193.tif 000001
という条件を満たす形状とされているようにすることができる。
【手続補正２】
【補正対象書類名】明細書
【補正対象項目名】００１３
【補正方法】変更
【補正の内容】
【００１３】
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数１８】
2015061193.tif 000002
という条件を満たす形状とされているようにすることができる。
【手続補正３】
【補正対象書類名】明細書
【補正対象項目名】００１４
【補正方法】変更
【補正の内容】
【００１４】
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数１９】
2015061193.tif 000003
という条件を満たす形状とされているようにすることができる。
【手続補正４】
【補正対象書類名】明細書
【補正対象項目名】００１５
【補正方法】変更
【補正の内容】
【００１５】
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数２０】
2015061193.tif 000004
という条件を満たす形状とされているようにすることができる。
【手続補正５】
【補正対象書類名】明細書
【補正対象項目名】００１６
【補正方法】変更
【補正の内容】
【００１６】
前記補正部は、曲面を有し、前記曲面の表面形状は、非球面であり、前記表面形状は、前記補正部の表面に対する垂線と撮像面に対する垂線とのなす角度をｅ、前記補正部を構成する材料の屈折率をｎ、光軸中心からの距離をｘ、光軸中心から端までの距離をｘ１、前記光の最大入射角度をａmaxとし、前記ａmaxが２０乃至３０であるとき、
【数２１】
2015061193.tif 000005
という条件を満たす形状とされているようにすることができる。
【手続補正６】
【補正対象書類名】明細書
【補正対象項目名】００１７
【補正方法】変更
【補正の内容】
【００１７】
前記補正部は、曲面を有し、前記曲面の表面形状は、非球面であり、前記表面形状は、前記補正部の表面に対する垂線と撮像面に対する垂線とのなす角度をｅ、前記補正部を構成する材料の屈折率をｎ、光軸中心からの距離をｘ、光軸中心から端までの距離をｘ１、前記光の最大入射角度をａmaxとし、前記ａmaxが２０乃至３０であるとき、
【数２２】
2015061193.tif 000006
という条件を満たす形状とされているようにすることができる。
【手続補正７】
【補正対象書類名】明細書
【補正対象項目名】００１８
【補正方法】変更
【補正の内容】
【００１８】
前記補正部は、焦点可変レンズまたは形状可変レンズで構成され、引っ張りストレスで表面形状が制御されるようにすることができる。
【手続補正８】
【補正対象書類名】明細書
【補正対象項目名】００１９
【補正方法】変更
【補正の内容】
【００１９】
前記補正部は、焦点可変レンズまたは形状可変レンズで構成され、２層の液体で形成され、一方の液体の界面形状が凸形状であり、電圧をかけることで前記凸形状を制御するようにすることができる。
【手続補正９】
【補正対象書類名】明細書
【補正対象項目名】００２０
【補正方法】変更
【補正の内容】
【００２０】
前記凸形状は、前記２層の液体のうち、前記光が入射する側の第１の液体の屈折率をｎ１、前記光電変換部が位置する側の第２の液体の屈折率をｎ２、ｎ＝ｎ１／ｎ２、像面の光軸中心から端までの距離をｘ１、前記凸形状の半径をｒとしたとき、
【数２３】
2015061193.tif 000007
という条件が満たされる形状とされているようにすることができる。
【手続補正１０】
【補正対象書類名】明細書
【補正対象項目名】００２１
【補正方法】変更
【補正の内容】
【００２１】
前記凸形状は、前記２層の液体のうち、前記光が入射する側の第１の液体の屈折率をｎ１、前記光電変換部が位置する側の第２の液体の屈折率をｎ２、ｎ＝ｎ１／ｎ２、像面の光軸中心から端までの距離をｘ１、前記凸形状の半径をｒとしたとき、
【数２４】
2015061193.tif 000008
という条件が満たされる形状とされているようにすることができる。
【手続補正１１】
【補正対象書類名】明細書
【補正対象項目名】００２２
【補正方法】変更
【補正の内容】
【００２２】
前記凸形状は、前記２層の液体のうち、前記光が入射する側の第１の液体の屈折率をｎ１、前記光電変換部が位置する側の第２の液体の屈折率をｎ２、ｎ＝ｎ１／ｎ２、像面の光軸中心から端までの距離をｘ１、前記凸形状の半径をｒとしたとき、
【数２５】
2015061193.tif 000009
という条件が満たされる形状とされているようにすることができる。
【手続補正１２】
【補正対象書類名】明細書
【補正対象項目名】００２３
【補正方法】変更
【補正の内容】
【００２３】
前記凸形状は、前記２層の液体のうち、前記光が入射する側の第１の液体の屈折率をｎ１、前記光電変換部が位置する側の第２の液体の屈折率をｎ２、ｎ＝ｎ１／ｎ２、像面の光軸中心から端までの距離をｘ１、前記凸形状の半径をｒとしたとき、
【数２６】
2015061193.tif 000010
という条件が満たされる形状とされているようにすることができる。
【手続補正１３】
【補正対象書類名】明細書
【補正対象項目名】００２４
【補正方法】変更
【補正の内容】
【００２４】
前記凸形状は、前記補正部の表面に対する垂線と撮像面に対する垂線とのなす角度をｅとし、前記２層の液体のうち、前記光が入射する側の第１の液体の屈折率をｎ１、前記光電変換部が位置する側の第２の液体の屈折率をｎ２、ｎ＝ｎ１／ｎ２、光軸中心からの距離をｘ、光軸中心から端までの距離をｘ１、前記第２の液体への前記光の最大入射角度をｃmax’、前記第２の液体内での前記光の最大入射角度をｄmax’としたとき、
【数２７】
2015061193.tif 000011
という条件が満たされる形状とされているようにすることができる。
【手続補正１４】
【補正対象書類名】明細書
【補正対象項目名】００２５
【補正方法】変更
【補正の内容】
【００２５】
前記凸形状は、前記補正部の表面に対する垂線と撮像面に対する垂線とのなす角度をｅとし、前記２層の液体のうち、前記光が入射する側の第１の液体の屈折率をｎ１、前記光電変換部が位置する側の第２の液体の屈折率をｎ２、ｎ＝ｎ１／ｎ２、光軸中心からの距離をｘ、光軸中心から端までの距離をｘ１、前記第２の液体への前記光の最大入射角度をｃmax’、前記第２の液体内での前記光の最大入射角度をｄmax’としたとき、
【数２８】
2015061193.tif 000012
という条件が満たされる形状とされているようにすることができる。
【手続補正１５】
【補正対象書類名】明細書
【補正対象項目名】００２６
【補正方法】変更
【補正の内容】
【００２６】
本技術の一側面の撮像素子においては、光電変換部に入射する光の角度を補正する補正部が、光電変換部に光が入射する側に設けられる。補正部は、曲面を有し、曲面の表面形状は、所定の条件を満たす形状とされている。
【手続補正１６】
【補正対象書類名】明細書
【補正対象項目名】００２７
【補正方法】変更
【補正の内容】
【００２７】
本技術の一側面の第１の製造装置は、光電変換部と、前記光電変換部に入射する光の角度を補正する補正部であり、前記光電変換部に前記光が入射する側に設けられる補正部とを備える撮像素子を製造する製造装置において、前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数２９】
2015061193.tif 000013
という条件のうちのどちらか一方を満たす形状に製造する。
【手続補正１７】
【補正対象書類名】明細書
【補正対象項目名】００２８
【補正方法】変更
【補正の内容】
【００２８】
本技術の一側面の第２の製造装置は、光電変換部と、前記光電変換部に入射する光の角度を補正する補正部であり、前記光電変換部に前記光が入射する側に設けられる補正部とを備える撮像素子を製造する製造装置において、前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数３０】
2015061193.tif 000014
という条件のうちのどちらか一方を満たす形状に製造する。
【手続補正１８】
【補正対象書類名】明細書
【補正対象項目名】００２９
【補正方法】変更
【補正の内容】
【００２９】
本技術の一側面の第３の製造方法は、光電変換部と、前記光電変換部に入射する光の角度を補正する補正部であり、前記光電変換部に前記光が入射する側に設けられる補正部とを備える撮像素子を製造する製造装置において、前記補正部は、曲面を有し、前記曲面の表面形状は、非球面であり、前記表面形状は、前記補正部の表面に対する垂線と撮像面に対する垂線とのなす角度をｅ、前記補正部を構成する材料の屈折率をｎ、光軸中心からの距離をｘ、光軸中心から端までの距離をｘ１、前記光の最大入射角度をａmaxとし、前記ａmaxが２０乃至３０であるとき、
【数３１】
2015061193.tif 000015
という条件のどちらか一方を満たす形状に製造する。
【手続補正１９】
【補正対象書類名】明細書
【補正対象項目名】００３０
【補正方法】変更
【補正の内容】
【００３０】
本技術の一側面の製造方法は、光電変換部と、前記光電変換部に入射する光の角度を補正する補正部であり、前記光電変換部に前記光が入射する側に設けられる補正部とを備える撮像素子を製造する製造装置の製造方法において、前記補正部は、曲面を有し、前記曲面の表面形状が、球面である補正部を製造するか、または非球面の補正部を製造するステップを含み、前記表面形状を、前記球面の半径をｒ、像面の光軸中心から端までの距離をｘ１、前記補正部を構成する材料の屈折率をｎ、前記光の最大入射角度をａmax、前記光の入射角度をａ、前記補正部の表面に対する垂線と撮像面に対する垂線とのなす角度をｅとしたとき、
【数３２】
2015061193.tif 000016
という条件のうちのいずれかを満たす形状に製造するステップを含む
【手続補正２０】
【補正対象書類名】明細書
【補正対象項目名】００５８
【補正方法】変更
【補正の内容】
【００５８】
【数２】
2015061193.tif 000017
【手続補正２１】
【補正対象書類名】明細書
【補正対象項目名】００６０
【補正方法】変更
【補正の内容】
【００６０】
【数３】
2015061193.tif 000018
【手続補正２２】
【補正対象書類名】明細書
【補正対象項目名】００６３
【補正方法】変更
【補正の内容】
【００６３】
ｄ＝ＡｒｃＳｉｎ［（１／ｎ）×Ｓｉｎ（ｃ）］−ｂ    ・・・（２’）
ｄmax＝ＡｒｃＳｉｎ［（１／ｎ）Ｓｉｎ（ｃmax）］−ｂ    ・・・（３’）
【手続補正２３】
【補正対象書類名】明細書
【補正対象項目名】００６６
【補正方法】変更
【補正の内容】
【００６６】
図５に示すように、同じ方向から入射された光であっても、位置ｘのところに入射された光の角度ａと位置ｘ０のところに入射された光の角度ａmaxとでは、角度ａmaxの方が明らかに大きな角度となる。また、角度ａと角度ａmaxは、以下の式を満たす関係にある。
ａ＝Ｔａｎ［ｘ／（ｘ１／ＡｒｃＴａｎ［ａmax］）］
【手続補正２４】
【補正対象書類名】明細書
【補正対象項目名】０１５１
【補正方法】変更
【補正の内容】
【０１５１】
図４Ｂを参照するに、式（１５）において、（ｂ’＋ａ’）は、（ｃ’）であるため、式（１５）は、次式（１５’）と表すこともできる。同様に、式（１６）も式（１６’）と表すことができる。
ｄ’＝ＡｒｃＳｉｎ［ｎ１×Ｓｉｎ［ｃ’］／ｎ２］―ｂ’    ・・・（１５’）
ｄmax’＝ＡｒｃＳｉｎ［ｎ１×Ｓｉｎ［ｃmax’］／ｎ２］―ｂ’    ・・・（１６’）
【手続補正２５】
【補正対象書類名】明細書
【補正対象項目名】０１５３
【補正方法】変更
【補正の内容】
【０１５３】
式（１５’）、式（１６’）において、ｎ＝ｎ２／ｎ１と置き換えることで、式（２）、式（３）と等価となる。
【手続補正２６】
【補正対象書類名】明細書
【補正対象項目名】０１８７
【補正方法】変更
【補正の内容】
【０１８７】
（１）
光電変換部と、
前記光電変換部に入射する光の角度を補正する補正部であり、前記光電変換部に前記光が入射する側に設けられる補正部と
を備える撮像素子。
（２）
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数１７】
2015061193.tif 000019
という条件を満たす形状とされている
前記（１）に記載の撮像素子。
（３）
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数１８】
2015061193.tif 000020
という条件を満たす形状とされている
前記（１）に記載の撮像素子。
（４）
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数１９】
2015061193.tif 000021
という条件を満たす形状とされている
前記（１）に記載の撮像素子。
（５）
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数２０】
2015061193.tif 000022
という条件を満たす形状とされている
前記（１）に記載の撮像素子。
（６）
前記補正部は、曲面を有し、前記曲面の表面形状は、非球面であり、前記表面形状は、前記補正部の表面に対する垂線と撮像面に対する垂線とのなす角度をｅ、前記補正部を構成する材料の屈折率をｎ、光軸中心からの距離をｘ、光軸中心から端までの距離をｘ１、前記光の最大入射角度をａmaxとし、前記ａmaxが２０乃至３０であるとき、
【数２１】
2015061193.tif 000023
という条件を満たす形状とされている
前記（１）に記載の撮像素子。
（７）
前記補正部は、曲面を有し、前記曲面の表面形状は、非球面であり、前記表面形状は、前記補正部の表面に対する垂線と撮像面に対する垂線とのなす角度をｅ、前記補正部を構成する材料の屈折率をｎ、光軸中心からの距離をｘ、光軸中心から端までの距離をｘ１、前記光の最大入射角度をａmaxとし、前記ａmaxが２０乃至３０であるとき、
【数２２】
2015061193.tif 000024
という条件を満たす形状とされている
前記（１）に記載の撮像素子。
（８）
前記補正部は、焦点可変レンズまたは形状可変レンズで構成され、引っ張りストレスで表面形状が制御される
前記（１）乃至（７）のいずれかに記載の撮像素子。
（９）
前記補正部は、焦点可変レンズまたは形状可変レンズで構成され、２層の液体で形成され、一方の液体の界面形状が凸形状であり、電圧をかけることで前記凸形状を制御する
前記（１）乃至（７）のいずれかに記載の撮像素子。
（１０）
前記凸形状は、前記２層の液体のうち、前記光が入射する側の第１の液体の屈折率をｎ１、前記光電変換部が位置する側の第２の液体の屈折率をｎ２、ｎ＝ｎ１／ｎ２、像面の光軸中心から端までの距離をｘ１、前記凸形状の半径をｒとしたとき、
【数２３】
2015061193.tif 000025
という条件が満たされる形状とされている
前記（９）に記載の撮像素子。
（１１）
前記凸形状は、前記２層の液体のうち、前記光が入射する側の第１の液体の屈折率をｎ１、前記光電変換部が位置する側の第２の液体の屈折率をｎ２、ｎ＝ｎ１／ｎ２、像面の光軸中心から端までの距離をｘ１、前記凸形状の半径をｒとしたとき、
【数２４】
2015061193.tif 000026
という条件が満たされる形状とされている
前記（９）に記載の撮像素子。
（１２）
前記凸形状は、前記２層の液体のうち、前記光が入射する側の第１の液体の屈折率をｎ１、前記光電変換部が位置する側の第２の液体の屈折率をｎ２、ｎ＝ｎ１／ｎ２、像面の光軸中心から端までの距離をｘ１、前記凸形状の半径をｒとしたとき、
【数２５】
2015061193.tif 000027
という条件が満たされる形状とされている
前記（９）に記載の撮像素子。
（１３）
前記凸形状は、前記２層の液体のうち、前記光が入射する側の第１の液体の屈折率をｎ１、前記光電変換部が位置する側の第２の液体の屈折率をｎ２、ｎ＝ｎ１／ｎ２、像面の光軸中心から端までの距離をｘ１、前記凸形状の半径をｒとしたとき、
【数２６】
2015061193.tif 000028
という条件が満たされる形状とされている
前記（９）に記載の撮像素子。
（１４）
前記凸形状は、前記補正部の表面に対する垂線と撮像面に対する垂線とのなす角度をｅとし、前記２層の液体のうち、前記光が入射する側の第１の液体の屈折率をｎ１、前記光電変換部が位置する側の第２の液体の屈折率をｎ２、ｎ＝ｎ１／ｎ２、光軸中心からの距離をｘ、光軸中心から端までの距離をｘ１、前記第２の液体への前記光の最大入射角度をｃmax’、前記第２の液体内での前記光の最大入射角度をｄmax’としたとき、
【数２７】
2015061193.tif 000029
という条件が満たされる形状とされている
前記（９）に記載の撮像素子。
（１５）
前記凸形状は、前記補正部の表面に対する垂線と撮像面に対する垂線とのなす角度をｅとし、前記２層の液体のうち、前記光が入射する側の第１の液体の屈折率をｎ１、前記光電変換部が位置する側の第２の液体の屈折率をｎ２、ｎ＝ｎ１／ｎ２、光軸中心からの距離をｘ、光軸中心から端までの距離をｘ１、前記第２の液体への前記光の最大入射角度をｃmax’、前記第２の液体内での前記光の最大入射角度をｄmax’としたとき、
【数２８】
2015061193.tif 000030
という条件が満たされる形状とされている
前記（９）に記載の撮像素子。
（１６）
光電変換部と、
前記光電変換部に入射する光の角度を補正する補正部であり、前記光電変換部に前記光が入射する側に設けられる補正部と
を備える撮像素子を製造する製造装置において、
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数２９】
2015061193.tif 000031
という条件のうちのどちらか一方を満たす形状に製造する
製造装置。
（１７）
光電変換部と、
前記光電変換部に入射する光の角度を補正する補正部であり、前記光電変換部に前記光が入射する側に設けられる補正部と
を備える撮像素子を製造する製造装置において、
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数３０】
2015061193.tif 000032
という条件のうちのどちらか一方を満たす形状に製造する
製造装置。
（１８）
光電変換部と、
前記光電変換部に入射する光の角度を補正する補正部であり、前記光電変換部に前記光が入射する側に設けられる補正部と
を備える撮像素子を製造する製造装置において、
前記補正部は、曲面を有し、前記曲面の表面形状は、非球面であり、前記表面形状は、前記補正部の表面に対する垂線と撮像面に対する垂線とのなす角度をｅ、前記補正部を構成する材料の屈折率をｎ、光軸中心からの距離をｘ、光軸中心から端までの距離をｘ１、前記光の最大入射角度をａmaxとし、前記ａmaxが２０乃至３０であるとき、
【数３１】
2015061193.tif 000033
という条件のどちらか一方を満たす形状に製造する
製造装置。
（１９）
光電変換部と、
前記光電変換部に入射する光の角度を補正する補正部であり、前記光電変換部に前記光が入射する側に設けられる補正部と
を備える撮像素子を製造する製造装置の製造方法において、
前記補正部は、曲面を有し、前記曲面の表面形状が、球面である補正部を製造するか、または非球面の補正部を製造するステップを含み、
前記表面形状を、前記球面の半径をｒ、像面の光軸中心から端までの距離をｘ１、前記補正部を構成する材料の屈折率をｎ、前記光の最大入射角度をａmax、前記光の入射角度をａ、前記補正部の表面に対する垂線と撮像面に対する垂線とのなす角度をｅとしたとき、
【数３２】
2015061193.tif 000034
という条件のうちのいずれかを満たす形状に製造する
ステップを含む製造方法。
（２０）
光電変換部と、
前記光電変換部に入射する光の角度を補正する補正部であり、前記光電変換部に前記光が入射する側に設けられる補正部と
を備える撮像素子と、
前記光電変換部から出力される画素信号に対して信号処理を行う信号処理部と
を備える電子機器。
【手続補正２７】
【補正対象書類名】特許請求の範囲
【補正対象項目名】全文
【補正方法】変更
【補正の内容】
【特許請求の範囲】
【請求項１】
光電変換部と、
前記光電変換部に入射する光の角度を補正する補正部であり、前記光電変換部に前記光が入射する側に設けられる補正部と
を備える撮像素子。
【請求項２】
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数１７】
2015061193.tif 000035
という条件を満たす形状とされている
請求項１に記載の撮像素子。
【請求項３】
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数１８】
2015061193.tif 000036
という条件を満たす形状とされている
請求項１に記載の撮像素子。
【請求項４】
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数１９】
2015061193.tif 000037
という条件を満たす形状とされている
請求項１に記載の撮像素子。
【請求項５】
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数２０】
2015061193.tif 000038
という条件を満たす形状とされている
請求項１に記載の撮像素子。
【請求項６】
前記補正部は、曲面を有し、前記曲面の表面形状は、非球面であり、前記表面形状は、前記補正部の表面に対する垂線と撮像面に対する垂線とのなす角度をｅ、前記補正部を構成する材料の屈折率をｎ、光軸中心からの距離をｘ、光軸中心から端までの距離をｘ１、前記光の最大入射角度をａmaxとし、前記ａmaxが２０乃至３０であるとき、
【数２１】
2015061193.tif 000039
という条件を満たす形状とされている
請求項１に記載の撮像素子。
【請求項７】
前記補正部は、曲面を有し、前記曲面の表面形状は、非球面であり、前記表面形状は、前記補正部の表面に対する垂線と撮像面に対する垂線とのなす角度をｅ、前記補正部を構成する材料の屈折率をｎ、光軸中心からの距離をｘ、光軸中心から端までの距離をｘ１、前記光の最大入射角度をａmaxとし、前記ａmaxが２０乃至３０であるとき、
【数２２】
2015061193.tif 000040
という条件を満たす形状とされている
請求項１に記載の撮像素子。
【請求項８】
前記補正部は、焦点可変レンズまたは形状可変レンズで構成され、引っ張りストレスで表面形状が制御される
請求項１に記載の撮像素子。
【請求項９】
前記補正部は、焦点可変レンズまたは形状可変レンズで構成され、２層の液体で形成され、一方の液体の界面形状が凸形状であり、電圧をかけることで前記凸形状を制御する
請求項１に記載の撮像素子。
【請求項１０】
前記凸形状は、前記２層の液体のうち、前記光が入射する側の第１の液体の屈折率をｎ１、前記光電変換部が位置する側の第２の液体の屈折率をｎ２、ｎ＝ｎ１／ｎ２、像面の光軸中心から端までの距離をｘ１、前記凸形状の半径をｒとしたとき、
【数２３】
2015061193.tif 000041
という条件が満たされる形状とされている
請求項９に記載の撮像素子。
【請求項１１】
前記凸形状は、前記２層の液体のうち、前記光が入射する側の第１の液体の屈折率をｎ１、前記光電変換部が位置する側の第２の液体の屈折率をｎ２、ｎ＝ｎ１／ｎ２、像面の光軸中心から端までの距離をｘ１、前記凸形状の半径をｒとしたとき、
【数２４】
2015061193.tif 000042
という条件が満たされる形状とされている
請求項９に記載の撮像素子。
【請求項１２】
前記凸形状は、前記２層の液体のうち、前記光が入射する側の第１の液体の屈折率をｎ１、前記光電変換部が位置する側の第２の液体の屈折率をｎ２、ｎ＝ｎ１／ｎ２、像面の光軸中心から端までの距離をｘ１、前記凸形状の半径をｒとしたとき、
【数２５】
2015061193.tif 000043
という条件が満たされる形状とされている
請求項９に記載の撮像素子。
【請求項１３】
前記凸形状は、前記２層の液体のうち、前記光が入射する側の第１の液体の屈折率をｎ１、前記光電変換部が位置する側の第２の液体の屈折率をｎ２、ｎ＝ｎ１／ｎ２、像面の光軸中心から端までの距離をｘ１、前記凸形状の半径をｒとしたとき、
【数２６】
2015061193.tif 000044
という条件が満たされる形状とされている
請求項９に記載の撮像素子。
【請求項１４】
前記凸形状は、前記補正部の表面に対する垂線と撮像面に対する垂線とのなす角度をｅとし、前記２層の液体のうち、前記光が入射する側の第１の液体の屈折率をｎ１、前記光電変換部が位置する側の第２の液体の屈折率をｎ２、ｎ＝ｎ１／ｎ２、光軸中心からの距離をｘ、光軸中心から端までの距離をｘ１、前記第２の液体への前記光の最大入射角度をｃmax’、前記第２の液体内での前記光の最大入射角度をｄmax’としたとき、
【数２７】
2015061193.tif 000045
という条件が満たされる形状とされている
請求項９に記載の撮像素子。
【請求項１５】
前記凸形状は、前記補正部の表面に対する垂線と撮像面に対する垂線とのなす角度をｅとし、前記２層の液体のうち、前記光が入射する側の第１の液体の屈折率をｎ１、前記光電変換部が位置する側の第２の液体の屈折率をｎ２、ｎ＝ｎ１／ｎ２、光軸中心からの距離をｘ、光軸中心から端までの距離をｘ１、前記第２の液体への前記光の最大入射角度をｃmax’、前記第２の液体内での前記光の最大入射角度をｄmax’としたとき、
【数２８】
2015061193.tif 000046
という条件が満たされる形状とされている
請求項９に記載の撮像素子。
【請求項１６】
光電変換部と、
前記光電変換部に入射する光の角度を補正する補正部であり、前記光電変換部に前記光が入射する側に設けられる補正部と
を備える撮像素子を製造する製造装置において、
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数２９】
2015061193.tif 000047
という条件のうちのどちらか一方を満たす形状に製造する
製造装置。
【請求項１７】
光電変換部と、
前記光電変換部に入射する光の角度を補正する補正部であり、前記光電変換部に前記光が入射する側に設けられる補正部と
を備える撮像素子を製造する製造装置において、
前記補正部は、曲面を有し、前記曲面の表面形状は、球面であり、前記表面形状は、前記球面の半径をｒ、像面の光軸中心から端までの距離をｘ１、前記補正部を構成する材料の屈折率をｎとしたとき、
【数３０】
2015061193.tif 000048
という条件のうちのどちらか一方を満たす形状に製造する
製造装置。
【請求項１８】
光電変換部と、
前記光電変換部に入射する光の角度を補正する補正部であり、前記光電変換部に前記光が入射する側に設けられる補正部と
を備える撮像素子を製造する製造装置において、
前記補正部は、曲面を有し、前記曲面の表面形状は、非球面であり、前記表面形状は、前記補正部の表面に対する垂線と撮像面に対する垂線とのなす角度をｅ、前記補正部を構成する材料の屈折率をｎ、光軸中心からの距離をｘ、光軸中心から端までの距離をｘ１、前記光の最大入射角度をａmaxとし、前記ａmaxが２０乃至３０であるとき、
【数３１】
2015061193.tif 000049
という条件のどちらか一方を満たす形状に製造する
製造装置。
【請求項１９】
光電変換部と、
前記光電変換部に入射する光の角度を補正する補正部であり、前記光電変換部に前記光が入射する側に設けられる補正部と
を備える撮像素子を製造する製造装置の製造方法において、
前記補正部は、曲面を有し、前記曲面の表面形状が、球面である補正部を製造するか、または非球面の補正部を製造するステップを含み、
前記表面形状を、前記球面の半径をｒ、像面の光軸中心から端までの距離をｘ１、前記補正部を構成する材料の屈折率をｎ、前記光の最大入射角度をａmax、前記光の入射角度をａ、前記補正部の表面に対する垂線と撮像面に対する垂線とのなす角度をｅとしたとき、
【数３２】
2015061193.tif 000050
という条件のうちのいずれかを満たす形状に製造する
ステップを含む製造方法。
【請求項２０】
光電変換部と、
前記光電変換部に入射する光の角度を補正する補正部であり、前記光電変換部に前記光が入射する側に設けられる補正部と
を備える撮像素子と、
前記光電変換部から出力される画素信号に対して信号処理を行う信号処理部と
を備える電子機器。